(57)【特許請求の範囲】
【請求項１】
吊り足場の端部において、落下防止用の側壁として使用される複数のパネルによるパネル構造体であって、
水平方向に配列される複数のパネルと、
吊り足場に解除可能に固定されるとともに、複数のパネルを支持するパネル支持機構と、を備え、
パネル支持機構は、パネルの配列方向に沿って延在するガイドレールと、吊り足場の単管にガイドレールを解除可能に固定するクランプとを有し、
それぞれのパネルは、ガイドレールの端部からガイドレールに嵌合して解除可能に係合しガイドレールに沿ってスライド移動可能なスライダ部を有する、パネル構造体。
【請求項２】
パネル支持機構は、ガイドレールを受ける構造を有したガイドレール受け部をさらに備え、ガイドレール受け部はクランプと一体的に構成されている、請求項１に記載のパネル構造体。
【請求項３】
ガイドレールは、パネルのスライダ部と嵌合する第１の突起部と、第１の突起部とは反対側に突出してガイドレール受け部によって受けられる第２の突起部を有し、
ガイドレール受け部に対して、ガイドレールの第２の突起部を嵌合させてスライドさせることにより、ガイドレール受け部へのガイドレールの取付を可能とした、請求項２に記載のパネル構造体。
【請求項４】
パネル支持機構において、ガイドレールとクランプは互いに直接的に接続して固定されている、請求項１に記載のパネル構造体。
【請求項５】
パネル支持機構のクランプによって把持される単管を囲みながら、パネルのスライダ部を掴んで挟むことにより、吊り足場の単管に対してパネルを固定する固定具をさらに備える、請求項１から４のいずれか１つに記載のパネル構造体。
【請求項６】
請求項１から５のいずれか１つに記載のパネル構造体を備える吊り足場。
【請求項７】
吊り足場の端部において、落下防止用の側壁として使用される複数のパネルによるパネル構造体の組立方法であって、
スライド移動を可能とするスライダ部をそれぞれが有する複数のパネルを準備するステップと、
スライダ部を受けるガイドレールと、吊り足場の単管にガイドレールを解除可能に固定するクランプとを有するパネル支持機構を準備するステップと、
パネル支持機構のクランプにより吊り足場の単管にガイドレールを解除可能に固定するステップと、
固定されたガイドレールにパネルのスライダ部をガイドレールの端部から嵌合させて解除可能に係合させてスライドさせることにより、パネル支持機構により複数のパネルを支持して複数のパネルを水平方向に配列するステップと、を含む、
パネル構造体の組立方法。
【請求項８】
パネル支持機構を準備するステップでは、ガイドレールを受ける構造を有してクランプと一体的に構成されたガイドレール受け部をさらに備えるパネル支持機構を準備し、
パネル支持機構のクランプによりガイドレールを固定するステップは、ガイドレール受け部にガイドレールを受けさせるステップを含む、請求項７に記載のパネル構造体の組立方法。
【請求項９】
パネル支持機構を準備するステップでは、パネルのスライダ部と嵌合する第１の突起部と、第１の突起部とは反対側に突出してガイドレール受け部によって受けられる第２の突起部を有するガイドレールを準備し、
ガイドレール受け部にガイドレールを受けさせるステップは、ガイドレール受け部に対して第２の突起部を嵌合させてスライドさせるステップを含む、請求項８に記載のパネル構造体の組立方法。
【請求項１０】
パネル支持機構を準備するステップでは、ガイドレールとクランプが互いに直接的に接続して固定されたパネル支持機構を準備する、請求項７に記載のパネル構造体の組立方法。
【請求項１１】
複数のパネルを水平方向に配列するステップの後、パネル固定用の固定具を用いて、パネル支持機構のクランプによって把持された単管を囲みながら、パネルのスライダ部を掴んで挟むことにより、吊り足場の単管に対してパネルを固定するステップをさらに含む、請求項７から１０のいずれか１つに記載のパネル構造体の組立方法。
【発明の詳細な説明】
【技術分野】
【０００１】
本発明は、吊り足場における落下防止用のパネルによるパネル構造体およびその組立方法に関する。
【背景技術】
【０００２】
従来より、吊り足場の端部において使用される落下防止用のパネルによる各種パネル構造体が提案されている（例えば、特許文献１）。
【０００３】
特許文献１で提案される構造においては、予め地上でパネルをある程度の面積に組立ててから、これを吊り上げて吊り足場上で順次左右方向に連結するようにしている。
【先行技術文献】
【特許文献】
【０００４】
【特許文献１】特開２００５−１２０５７２号公報
【発明の概要】
【発明が解決しようとする課題】
【０００５】
しかしながら、昨今では、吊り足場における安全性をより向上させることが求められている。特に、落下防止用の側壁として使用されるパネルを組み立てる際には、作業者は吊り足場の端部で作業を行う必要があるため、落下の危険性があり、安全性の向上が求められる。特許文献１のように、予め組み立てたパネルを吊り足場上で組み立てる際には、比較的大きなパネルを吊り足場上で取扱う必要があるところ、そのような安全性の向上という観点では未だ改善の余地があるといえる。
【０００６】
従って、本発明の目的は、吊り足場における落下防止用のパネルによるパネル構造体およびその組立方法において、安全性をより向上させることにある。
【課題を解決するための手段】
【０００７】
上記目的を達成するために、本発明は以下のように構成する。
【０００８】
本発明の一態様によれば、吊り足場の端部において、落下防止用の側壁として使用される複数のパネルによるパネル構造体であって、水平方向に配列される複数のパネルと、吊り足場に解除可能に固定されるとともに、複数のパネルを支持するパネル支持機構と、を備え、パネル支持機構は、パネルの配列方向に沿って延在するガイドレールと、吊り足場の単管にガイドレールを解除可能に固定するクランプとを有し、それぞれのパネルは、ガイドレールに解除可能に係合しガイドレールに沿ってスライド移動可能なスライダ部を有する、パネル構造体を提供する。
【０００９】
また、本発明の一態様によれば、吊り足場の端部において、落下防止用の側壁として使用される複数のパネルによるパネル構造体の組立方法であって、スライド移動を可能とするスライダ部をそれぞれが有する複数のパネルを準備するステップと、スライダ部を受けるガイドレールと、吊り足場の単管にガイドレールを解除可能に固定するクランプとを有するパネル支持機構を準備するステップと、パネル支持機構のクランプにより吊り足場の単管にガイドレールを解除可能に固定するステップと、固定されたガイドレールにパネルのスライダ部を解除可能に係合させることにより、パネル支持機構により複数のパネルを支持して複数のパネルを水平方向に配列するステップと、を含む、パネル構造体の組立方法を提供する。
【発明の効果】
【００１０】
本発明のパネル構造体およびその組立方法によれば、安全性を向上させることができる。
【図面の簡単な説明】
【００１１】
【図１】実施の形態にかかるパネル構造体の斜視図
【図２】実施の形態にかかるパネル構造体の斜視図
【図３】パネル構造体の分解斜視図
【図４】パネル構造体の組立前における、パネルおよびパネル支持機構の接続関係を説明するための断面図
【図５】パネル構造体の組立後における、パネルおよびパネル支持機構の接続関係を説明するための断面図
【図６】パネル構造体を組み立てる組立方法の一例のフローチャート
【図７】図６のフローチャートに沿って行われるパネル構造体の組立方法を説明するための斜視図
【図８】パネル支持機構の変形例を示す断面図
【図９】パネルのバリエーションの一例を示す図
【図１０】図９に示すパネルを取り付けた状態を示す斜視図
【発明を実施するための形態】
【００１２】
本発明の第１態様によれば、吊り足場の端部において、落下防止用の側壁として使用される複数のパネルによるパネル構造体であって、
水平方向に配列される複数のパネルと、
吊り足場に解除可能に固定されるとともに、複数のパネルを支持するパネル支持機構と、を備え、
パネル支持機構は、パネルの配列方向に沿って延在するガイドレールと、吊り足場の単管にガイドレールを解除可能に固定するクランプとを有し、
それぞれのパネルは、ガイドレールに解除可能に係合しガイドレールに沿ってスライド移動可能なスライダ部を有する、パネル構造体を提供する。このように、パネル支持機構に対して複数のパネルをスライドさせて取り付けることができるため、吊り足場上で複数のパネルを設置してパネル構造体を組み立てる際に、作業者は安定した状態で作業を行うことができ、安全性の向上につなげることができる。
【００１３】
本発明の第２態様によれば、パネル支持機構は、ガイドレールを受ける構造を有したガイドレール受け部をさらに備え、ガイドレール受け部はクランプと一体的に構成されている、第１態様に記載のパネル構造体を提供する。このように、パネル支持機構をガイドレールおよびガイドレール受け部に分けた構成とすることで、パネル支持機構の形態として様々なバリエーションを採用することができ、設計の自由度を高めることができる。
【００１４】
本発明の第３態様によれば、ガイドレールは、パネルのスライダ部と嵌合する第１の突起部と、第１の突起部とは反対側に突出してガイドレール受け部によって受けられる第２の突起部を有し、ガイドレール受け部に対して、ガイドレールの第２の突起部を嵌合させてスライドさせることにより、ガイドレール受け部へのガイドレールの取付を可能とした、第２態様に記載のパネル構造体を提供する。このように、ガイドレール受け部へのガイドレールの取付をスライド式とすることで、当該作業を行う作業者の作業性を向上させるとともに、安全性を向上させることができる。
【００１５】
本発明の第４態様によれば、パネル支持機構において、ガイドレールとクランプは互いに直接的に接続して固定されている、第１態様に記載のパネル構造体を提供する。このように、パネル支持機構をより単純な構造とすることができ、コストを低減することができる。
【００１６】
本発明の第５態様によれば、パネル支持機構のクランプによって把持される単管を囲みながら、パネルのスライダ部を掴んで挟むことにより、吊り足場の単管に対してパネルを固定する固定具をさらに備える、第１態様から第４態様のいずれか１つに記載のパネル構造体を提供する。このように、パネルを吊り足場の単管に対してより強固に固定することができ、安全性を向上させることができる。
【００１７】
本発明の第６態様によれば、第１態様から第５態様のいずれか１つに記載のパネル構造体を備える吊り足場を提供する。
【００１８】
本発明の第７態様によれば、吊り足場の端部において、落下防止用の側壁として使用される複数のパネルによるパネル構造体の組立方法であって、スライド移動を可能とするスライダ部をそれぞれが有する複数のパネルを準備するステップと、スライダ部を受けるガイドレールと、吊り足場の単管にガイドレールを解除可能に固定するクランプとを有するパネル支持機構を準備するステップと、パネル支持機構のクランプにより吊り足場の単管にガイドレールを解除可能に固定するステップと、固定されたガイドレールにパネルのスライダ部を解除可能に係合させることにより、パネル支持機構により複数のパネルを支持して複数のパネルを水平方向に配列するステップと、を含む、パネル構造体の組立方法を提供する。このように、パネル支持機構に対して複数のパネルをスライドさせて取り付けることができるため、吊り足場上で複数のパネルを設置してパネル構造体を組み立てる際に、作業者は安定した状態で作業を行うことができ、安全性の向上につなげることができる。
【００１９】
本発明の第８態様によれば、パネル支持機構を準備するステップでは、ガイドレールを受ける構造を有してクランプと一体的に構成されたガイドレール受け部をさらに備えるパネル支持機構を準備し、パネル支持機構のクランプによりガイドレールを固定するステップは、ガイドレール受け部にガイドレールを受けさせるステップを含む、第７態様に記載のパネル構造体の組立方法を提供する。このように、パネル支持機構をガイドレールおよびガイドレール受け部に分けた構成とすることで、パネル支持機構の形態として様々なバリエーションを採用することができ、設計の自由度を高めることができる。
【００２０】
本発明の第９態様によれば、パネル支持機構を準備するステップでは、パネルのスライダ部と嵌合する第１の突起部と、第１の突起部とは反対側に突出してガイドレール受け部によって受けられる第２の突起部を有するガイドレールを準備し、ガイドレール受け部にガイドレールを受けさせるステップは、ガイドレール受け部に対して第２の突起部を嵌合させてスライドさせるステップを含む、第８態様に記載のパネル構造体の組立方法を提供する。このように、ガイドレール受け部へのガイドレールの取付をスライド式とすることで、当該作業を行う作業者の作業性を向上させるとともに、安全性を向上させることができる。
【００２１】
本発明の第１０態様によれば、パネル支持機構を準備するステップでは、ガイドレールとクランプが互いに直接的に接続して固定されたパネル支持機構を準備する、第７態様に記載のパネル構造体の組立方法を提供する。これにより、パネル支持機構をより単純な構造とすることができ、コストを低減することができる。
【００２２】
本発明の第１１態様によれば、複数のパネルを水平方向に配列するステップの後、パネル固定用の固定具を用いて、パネル支持機構のクランプによって把持された単管を囲みながら、パネルのスライダ部を掴んで挟むことにより、吊り足場の単管に対してパネルを固定するステップをさらに含む、第７態様から第１０態様のいずれか１つに記載のパネル構造体の組立方法を提供する。これにより、パネルを吊り足場の単管に対してより強固に固定することができ、安全性を向上させることができる。
【００２３】
（実施の形態）
以下、本発明の吊り足場における落下防止用のパネルによるパネル構造体およびその組立方法に係る実施の形態について、添付の図面を参照しながら説明する。なお、本発明のパネル構造体およびその組立方法は、以下の実施の形態に記載した構成に限定されるものではない。
【００２４】
図１、図２は、吊り足場１の端部において、落下防止用の側壁として使用される複数のパネル６によるパネル構造体２の斜視図を示し、図３は、パネル構造体２の分解斜視図を示す。
【００２５】
吊り足場１は、例えば橋や高速道路などの構造物に対して作業者が補修作業などを行うための足場として、構造物の下方や側方に設置されるものである。図１、図２に示すように、本実施の形態における吊り足場１は、複数のパネル６を含むパネル構造体２と、複数の足場板３と、複数の鉛直単管４と、複数の水平単管５とを互いに接続して形成されている。本実施の形態におけるパネル構造体２は、複数枚のパネル６を水平方向にスライドさせて取り付けることにより、吊り足場１に固定されるものである。図１に示す例では、パネル構造体２は水平単管５に取り付けられて、吊り足場１に固定される。
【００２６】
本実施の形態におけるパネル構造体２は、図３に示すように、複数のパネル６と、パネル６を吊り足場１（水平単管５）に取り付けて支持するためのパネル支持機構７とで構成される。本実施の形態におけるパネル支持機構７は、複数のガイドレール９と、複数のガイドレール受け部１０と、複数のクランプ１１と、複数の固定具１２とを備える。
【００２７】
複数のパネル６のそれぞれは、大略矩形状の縦長の部材であり、吊り足場１の端部において、落下防止用（騒音防止機能などを兼ねてもよい）の側壁として機能する。本実施の形態におけるパネル６のそれぞれは、上部パネル６ａと、下部パネル６ｂとで構成される。上部パネル６ａと下部パネル６ｂは、上部パネル６ａの下端と下部パネル６ｂの上端とを接触させて互いに取り付けられる。上部パネル６ａは、上下方向に真直ぐに延びる矩形状の板材である。下部パネル６ｂは、上下方向に延びるとともに下方にて湾曲する板材である。上部パネル６ａおよび下部パネル６ｂは、各パネルのスライド移動を可能とするように水平方向に延在する突起状のスライダ部８ａおよびスライダ部８ｂをそれぞれ有する。スライダ部８ａ、８ｂは、後述するパネル支持機構７のガイドレール９と係合（嵌合）する部分であり、図１に示すように吊り足場１に固定された状態において同一水平方向に延在する。本実施の形態では、上部パネル６ａが２つのスライダ部８ａを有し、下部パネル６ｂが１つのスライダ部８ｂを有する。
【００２８】
次に、パネル支持機構７において、ガイドレール９は、パネル６をスライド可能に受けるための継手部材である。ガイドレール９には、パネル６のスライダ部８ａ、８ｂが解除可能に係合して、ガイドレール９に沿ってスライド移動可能となる。本実施の形態では、パネル６を複数枚取り付けることができるように、ガイドレール９の水平方向長さはパネル複数枚分の長さに設定されている。ガイドレール受け部１０は、ガイドレール９を受ける構造を有するとともに、クランプ１１と一体的に構成された部材である。本実施の形態では、２つのガイドレール受け部１０によって１つのガイドレール９を受けるように構成されている。クランプ１１は、吊り足場１の単管（特に水平単管５）を把持可能な部材である。本実施の形態では、クランプ１１として、いわゆる単クランプが用いられる。クランプ１１が水平単管５を把持することにより、ガイドレール受け部１０を介してガイドレール９を水平単管５に解除可能に固定する。固定具１２は、パネル６とパネル支持機構７（および水平単管５）とを互いに固定するための部材である。これらの部材について、図３―図５を参照しながら、以下でより詳細に説明する。
【００２９】
図４は、パネル支持機構７にパネル６を取り付ける前の各構成部材の関係を示す断面図であり、図５は、取り付け後の各構成部材を示す断面図である。
【００３０】
図４、図５に示すように、ガイドレール９は、互いに対向する第１の突起部９ａと第２の突起部９ｂとを有する。第１の突起部９ａは、パネル６を受けるための突起部であり、パネル６のスライダ部８ａ（８ｂ）と嵌合するように突出した形状を有する。図４に示すように、スライダ部８ａによって形成される溝８ｃが断面Ｔ字状であるのに対し、第１の突起部９ａも同寸法の断面Ｔ字形状を有する。なお、スライダ部８ａは、図４に示すようにパネル６の表面から断面Ｔ字状に突出した２つの突起部により形成されており、これにより、スライダ部８ａの突起とは逆向きの断面Ｔ字状の溝８ｃを形成している。一方、第２の突起部９ｂは、第１の突起部９ａとは反対側に延びた突起部であり、第１の突起部９ａと同じ大きさおよび長さの断面Ｔ字状に形成される。ガイドレール９は、鉛直方向に延びる中心軸Ｃを中心に対称な形状を有する。
【００３１】
ガイドレール受け部１０は、大略コの字形の断面形状を有するとともに、ガイドレール支持部１０ａと、クランプ接続部１０ｂとで構成される。ガイドレール支持部１０ａは、ガイドレール９の第２の突起部９ｂと嵌合してガイドレール９を受けて支持するための部分である。ガイドレール支持部１０ａの形状は、図４に示すように、第２の突起部９ｂと同寸法の断面Ｔ字状の溝１０ｃを有するように設定されている。ガイドレール受け部１０の接続部１０ｂは、ガイドレール支持部１０ａと連続的に形成されており、クランプ１１と接続するための部分である。接続部１０ｂに対してクランプ１１のボルトが貫通し、ナットで締められることにより、接続部１０ｂにクランプ１１が固定される。これにより、ガイドレール受け部１０とクランプ１１が直接的に接続して固定された一体的な部品として構成される。
【００３２】
固定具１２は、図５に示すように、その先端にパネル６を掴むための掴み部１２ａを有し、その逆側の端部には水平方向の締め付けを行うための締付部１２ｂを有する。本実施の形態では、掴み部１２ａは、パネル６のスライダ部８ａの外側と密着するような形状を有する。締付部１２ｂはボルトとして構成されており、作業者が当該ボルトを回転させることにより締付部１２ｂによる締め付けを行い、水平単管５とパネル６との締付を行うことが可能である。固定具１２は、水平単管５、ガイドレール受け部１０およびガイドレール９を囲みながら、掴み部１２ａによりスライダ部８ａの外側をつかんで挟むことにより、これらの部材を一体的に固定する。このとき、締付部１２ｂによる締め付けが行われると、固定具１２は、パネル６と単管５とを互いに引き寄せる方向に張力をかけた状態で固定する。このようにして、パネル６を水平単管５に強固に固定することができる。また、図５に示すように、ガイドレール９およびガイドレール受け部１０の上下面並びにスライダ部８ａの根元部分の外側上下面が同一平面となるように設計することで、固定具１２によりスライダ部８ａを挟んだ状態をより安定するようにしている。
【００３３】
このようなパネル支持機構７の構成によれば、ガイドレール受け部１０のガイドレール支持部１０ａ（溝１０ｃ）に対してガイドレール９の第２の突起部９ｂを嵌合させてスライドさせることにより、ガイドレール９をスライドさせて取り付けることができる。同様に、ガイドレール９の第１の突起部９ａに対してパネル６のスライダ部８ａを嵌合させてスライドさせることにより、ガイドレール９にパネル６をスライドさせて取り付けることができる。このようにして、パネル支持機構７に対してパネル６をスライドさせて取り付ける構成が実現される。
【００３４】
（パネル構造体の組立方法）
次に、これらの部材を用いて、前述したパネル構造体２を組み立てる組立方法の一例について、図６のフローチャートおよび図７（ａ）―図７（ｅ）の側面図を用いて説明する。図６および図７（ａ）―図７（ｅ）に示す方法はあくまで一例であり、当該方法に限定されない。
【００３５】
まず、吊り足場１において、複数の足場板３、複数の鉛直単管４および複数の水平単管５が存在する状態から、ガイドレール受け部１０の取付を行う（ステップＳ１）。具体的には、図７（ａ）に示すように、ガイドレール受け部１０と一体的に構成されたクランプ１１により、吊り足場１の水平単管５を把持する。これにより、ガイドレール受け部１０を水平単管５に解除可能に固定する。このとき、ガイドレール受け部１０は、水平単管５が延びる方向と同一水平方向に延在させる。図７（ａ）に示す例では、互いに隣接する鉛直単管４により挟まれた領域において、上下に３本設けられた水平単管５に対して、ガイドレール受け部１０を水平方向に２ケ所ずつ設け、合計６つのガイドレール受け部１０を水平単管５に固定している。
【００３６】
次に、ガイドレール９の取り付けを行う（ステップＳ２）。具体的には、図７（ｂ）に示すように、吊り足場１の水平単管５に固定されているガイドレール受け部１０にガイドレール９を取り付ける。より具体的には、ガイドレール９をガイドレール受け部１０に対して嵌合させてスライドさせることにより、ガイドレール受け部１０にガイドレール９を取り付ける。図４等を用いて説明したように、ガイドレール受け部１０のガイドレール支持部１０ａが有する断面Ｔ字状の溝１０ｃに対して、同形状を有するガイドレール９の第２の突起部９ｂを水平方向にスライドさせて配置する。これにより、ガイドレール受け部１０にガイドレール９を嵌合させて取り付ける。
【００３７】
次に、上部パネル６ａの取付を行う（ステップＳ３）。具体的には、まず、スライド移動可能なスライダ部８ａを有する上部パネル６ａを準備する。その後、図７（ｃ）に示すように、ガイドレール受け部１０を介して吊り足場１の水平単管５に固定されているガイドレール９に上部パネル６ａを取り付ける。より具体的には、上部パネル６ａをガイドレール９に対して嵌合させてスライドさせることにより、ガイドレール９に上部パネル６ａを取り付ける。図４等を用いて説明したように、ガイドレール９における断面Ｔ字状の第１の突起部９ａに対して、同形状の溝８ｃを有する上部パネル６ａのスライダ部８ａを水平方向に嵌合させてスライドさせることにより、ガイドレール９に上部パネル６ａを取り付ける。これにより、上部パネル６ａはガイドレール９によって支持される。なお、当該ステップを行う際、上部パネル６ａをガイドレール９に嵌め込む作業は、吊り足場１におけるパネル６の脱着位置（１カ所）で行えばよく、嵌め込んだパネルをスライドさせる作業は、パネル６の移動経路に沿ったスライド位置にて行えばよい。図７（ｃ）に示す例では、上下３段に設けられた水平単管５のうち、上段と中段の水平単管５に固定されたガイドレール９に上部パネル６ａを嵌合させて取り付けている。
【００３８】
次に、下部パネル６ｂの取付を行う（ステップＳ４）。具体的には、まず、スライダ部８ａと同様にスライド移動可能なスライダ部８ｂを有する下部パネル６ｂを準備する。その後、図７（ｄ）に示すように、上部パネル６ａが取り付けられていない下段の水平単管５に固定されたガイドレール９に対して、下部パネル６ｂを嵌合させてスライドさせることにより下部パネル６ｂを取り付ける。図４等を用いて説明したように、ガイドレール９における断面Ｔ字状の第１の突起部９ａに対して、同形状の溝８ｃを有する下部パネル６ｂのスライダ部８ｂを水平方向にスライドさせて配置することにより、ガイドレール９に下部パネル６ｂを嵌合させて取り付ける。これにより、下部パネル６ｂはガイドレール９によって支持される。このとき、下部パネル６ｂの上端と上部パネル６ａの下端が隙間なく接触するようにして配置する。
【００３９】
その後、ステップＳ３、Ｓ４を交互に繰り返す。本実施の形態では、ステップＳ３、Ｓ４を４回ずつ交互に行うことにより、図７（ｅ）に示すように、パネル６を水平方向に４枚配列した状態とする。
【００４０】
最後に、固定具１２によりパネル６を固定する（ステップＳ５）。具体的には、図７（ｅ）に示すように、固定具１２により、水平単管５、ガイドレール受け部１０およびガイドレール９を囲むように差し込むとともに、固定具１２の先端（掴み部１２ａ）でパネル６のスライダ部８ａを掴んで挟むことにより、固定する。さらに、固定具１２の締付部１２ｂのボルトを回転させることにより、締付を行ってより強固に固定する。このようにして、固定具１２によりパネル６を水平単管５に固定する。当該固定により、パネル６のスライド位置が一時的に固定されることとなる。本実施の形態では、図７（ｅ）に示すように、２枚のパネル６が隣接している部分を挟み込むことにより、１つの固定具１２により隣接する２枚のパネル６を固定している。
【００４１】
このようにして、吊り足場１へのパネル６の取付・固定が完了する。
【００４２】
上述したステップＳ１−Ｓ５により、図１、図２で示した、吊り足場１の端部において落下防止用の側壁として使用される複数のパネル６によるパネル構造体２を組み立てることができる。
【００４３】
また、ステップＳ１−Ｓ５をその後、繰り返していくことにより、吊り足場１の拡張に合わせて、パネル構造体２も順次拡張することができる。これにより、安全性に優れた、いわゆる「パネルのスライド工法」を実現することができる。
【００４４】
上述したパネル構造体２およびその組立方法によれば、パネル支持機構７の第１の突起部９ａに対して、複数のパネル６のスライダ部８ａ、８ｂを嵌合させてスライドさせることにより、パネル支持機構７に対する複数のパネル６の取付を可能としている。このようにして、吊り足場１上で複数のパネル６を設置してパネル構造体２を組み立てる際に、作業者は安定した状態で作業を行うことができ、安全性の向上につなげることができる。特に、パネル６を順番に一枚ずつ取り付けることができるため、パネル６を予め組み立てた状態とする必要がなく、作業者の負担を低減することができ、安全性の向上にもつながる。また、スライド式ではなく単に固定具を用いてパネルを単管に固定する方法と比較すると、本実施形態のようなスライド式の取付け方法によれば、パネル６を落下させるリスクも低くなるため、作業者の負担を低減させることができ、安全性を向上させることができる。また、パネル構造体２の解体を行う際には、パネル６の取付と同様にパネル６の取り外しを作業者は一か所（パネル６の脱着位置）で行えばよい。これにより、作業性を向上させることができ、安全性の向上にもつながる。
【００４５】
本実施の形態では、特にパネル支持機構７は、ガイドレール９を受ける構造を有してクランプ１１と一体的に構成されたガイドレール受け部１０をさらに備えている。このように、ガイドレール９とクランプ１１の間にガイドレール受け部１０を介した構成とすることにより、パネル支持機構７に関して様々な形状および接続形態のバリエーションが可能となる。これにより、設計の自由度が高まる。例えば、本実施の形態では、図１などに示すように、水平単管５を鉛直単管４の内側（足場板３に近い側）に設けている。このような場合、鉛直単管４の外側に設けた場合に比べて、作業者は水平単管５に関連する取付作業（ガイドレール受け部１０の取付、ガイドレール９の取付およびパネル６の取付）を吊り足場１の内側でより安全に行うことができる。一方、鉛直単管４の外側に取り付けられるパネル６と、水平単管５との距離は開くこととなる。これを受けて、本実施の形態では、水平単管５を把持するクランプ１１と一体的に構成されたガイドレール受け部１０と、ガイドレール受け部１０により受けられるガイドレール９とを設けて、これらの部材により水平単管５とパネル６との距離を埋めるようにしている。このように、水平単管５を鉛直単管４の内側に設けたより安全な構造にも適応することができるため、本実施の形態に係るパネル支持機構７によれば、安全性の観点で優れている。
【００４６】
また、本実施の形態では、パネル支持機構７に対するパネル６の取付をスライド式とするのと同様に、パネル支持機構７においてもガイドレール受け部１０に対するガイドレール９の取付をスライド式としている。その具体的な実現構成としては、ガイドレール９は、パネル６のスライダ部８ａ、８ｂと嵌合する第１の突起部９ａと、第１の突起部９ａとは反対側に突出して設けられた第２の突起部９ｂとを備える。また、ガイドレール受け部１０は、第２の突起部９ｂと嵌合するガイドレール支持部１０ａを設けるようにしている。このような構成により、ガイドレール受け部１０のガイドレール支持部１０ａに対して、ガイドレール９の第２の突起部９ｂをスライドさせながら嵌合させることにより、ガイドレール受け部１０へのガイドレール９の取付が可能となる。このように、パネル６の取付だけでなく、ガイドレール９の取付もスライド式とすることにより、吊り足場１上におけるパネル６を固定するまでの一連の作業において、作業者の負担を低減することができ、安全性を向上させることができる。
【００４７】
ここで言い換えると、ガイドレール９は、所定長さのレール部材を複数本、パネル６の配列方向に沿って連続させることにより構成されている。また、ガイドレール受け部１０は、それぞれのレール部材を、パネル６の配列方向に沿ってスライド移動可能に係合支持しており、係合支持されたレール部材をスライド移動させることで、クランプ１１によるガイドレール９の固定を解除することができる。また、ガイドレール９の１つのレール部材を複数のガイドレール受け部１０により支持しているため、より安定的にガイドレール９を支持することができる。
【００４８】
また、本実施の形態では、固定具１２を用いてパネル６を水平単管５に固定することにより、パネル６を吊り足場１に対してより強固に固定することができる。この固定具１２は、水平単管５を囲みながらパネル６のスライダ部８ａを掴んで挟むことにより、水平単管５に対してパネル６を固定するように構成されている。作業者は単に、固定具１２を水平単管５に差し込んだ後、固定具１２の先端（掴み部１２ａ）を閉じてパネル６のスライダ部８ａの外側を掴んで挟むことにより、固定具１２による固定を完了することができる。このような構成の固定具１２によれば、パネル６を水平単管５に固定する際の作業者の作業性を向上させることができるため、安全性の向上にもつながる。
【００４９】
また、本実施の形態では、パネル６として、上部パネル６ａと下部パネル６ｂを組み合わせて構成し、上部パネル６ａは直線状とし、下部パネル６ｂは一部湾曲状とすることで、吊り足場１における落下防止用の側壁として所望の形状とした。このように、パネル６の形状等を適宜設計することにより、所望の形状を容易に達成することができる。
【００５０】
なお、パネル構造体２の組立方法に関するステップＳ１−Ｓ５の順序は、図５のフローチャートで示した例に限られない。パネル構造体２と同様の構造を有するパネル構造体を形成できれば、各ステップの順序を適宜入れ替えてもよい。また、必要に応じて各構成要素の数などを増減させてもよい。当該増減に応じて、各ステップＳ１−Ｓ５で各構成要素の数、あるいは各ステップの順序を適宜変更してもよい。
【００５１】
以上、上述の実施の形態を挙げて本発明を説明したが、本発明は上述の実施の形態に限定されない。例えば、本実施の形態では、パネル支持機構７のクランプ１１により水平単管５を把持する場合について説明したが、このような場合に限らず、クランプ１１によりその他の単管を把持してもよい。このような場合であっても、パネル６の取付けを適宜行うことができる。例えば、クランプ１１により、鉛直単管４を把持するようにしてもよい。この場合、図４などに示したガイドレール受け部１０とクランプ１１とを、接続軸Ｄを中心に９０度回転させた状態で接続することで、ガイドレール受け部１０を水平方向に延在させた状態とし、ガイドレール９やパネル６の取付けを同様に行うことができる。
【００５２】
また本実施の形態では、パネル支持機構７として、ガイドレール９およびガイドレール受け部１０を備えた構成である場合について説明したが、このような場合に限らない。例えば、図８に示すように、一体的な構成としてのパネル支持機構１７を用いてもよい。具体的には、図８に示すパネル支持機構１７は、パネル６のスライダ部８ａ、８ｂに嵌合可能な第１の突起部１９ａと、クランプ１１と接続するための接続部１９ｂとを一体的で連続なものとして構成している。このような構成であっても、パネル支持機構１７の第１の突起部１９ａに対して、パネル６のスライダ部８ａを嵌合させてスライドさせることにより、パネル支持機構１７へのパネル６の取付が可能である。このように、パネル支持機構１７を一体的な構造とすれば、パネル支持機構１７の構造はより単純となり、パネル支持機構１７の製造が容易となるため、製造コストを低減することができる。なお、パネル支持機構としては、パネル６のスライダ部８ａ（８ｂ）に対して共通して嵌合可能な第１の突起部と、第１の突起部を吊り足場１の単管に固定するように当該単管を把持するクランプとで構成されるものであれば、任意の構成でよい。
【００５３】
また、本実施の形態では、スライダ部８ａ、８ｂ、第２および第２の突起部９ａ、９ｂ並びにガイドレール支持部１０ａがそれぞれ、断面Ｔ字状の突起あるいは同形状の溝を形成する場合について説明したが、このような場合に限らない。例えば、パネル６、ガイドレール９およびガイドレール受け部１０を互いにスライドさせて取り付けることができれば、任意の形状であってもよい。また、スライダ部８ａ、８ｂはパネル６の表面から外側に突出する形状である場合について説明したが、このような場合に限らず例えば、パネル６の表面から外側に突出せずに、断面Ｔ字状の溝のみを形成する場合であってもよい。
【００５４】
また、本実施の形態では、パネル６として、上部パネル６ａと下部パネル６ｂを別々に組み合わせる場合について説明したが、このような場合に限らない。例えば、上部パネル６ａと下部パネル６ｂが予め一体となったような１枚のパネルを用いてもよい。この場合、図５のフローチャートにおけるステップＳ３とステップＳ４は、１つのステップにまとめられる。あるいは、上部パネル６ａと下部パネル６ｂ以外のパネル部品を組み合わせることも可能である。その例について、図９に示す。
【００５５】
図９に示す例では、上部パネル６ａおよび下部パネル６ｂに加えて、さらに別のパネル６ｃを利用している。パネル６ｃは、上部パネル６ａと同様の矩形状であり、上部パネル６ａよりも上下に長い寸法を有する。このようなパネル６ｃを利用することで、例えば、図１０に示すように、パネル６に対して上方向にパネル６ｃを取り付けてパネルを拡張することができる。なお、図９に示すように、パネル６ａ−６ｃの外周の形状については、凸形状と凹形状を組み合わせて用いることで、パネル同士の取付を行うようにしてもよい。図９に示す例では、パネル６ａの外周部Ａ１、パネル６ｂの外周部Ｂ１およびパネル６ｃの外周部Ｃ１を凸形状とし、パネル６ａの外周部Ａ２、パネル６ｂの外周部Ｂ２およびパネル６ｃの外周部Ｃ２を凹形状としている。これにより、複数のパネル６を隣接して並べた際に、各パネル６を簡易的な方法で固定することができる。
【産業上の利用可能性】
【００５６】
本発明は、吊り足場における落下防止用のパネルによる構造体およびその組立方法であれば適用可能である。
【符号の説明】
【００５７】
１  吊り足場
２  パネル構造体
３  足場板
４  鉛直単管
５  水平単管
６  パネル
６ａ  上部パネル
６ｂ  下部パネル
６ｃ  別パネル
７、１７  パネル支持機構
８ａ、８ｂ  スライダ部
９  ガイドレール
９ａ、１９ａ  第１の突起部
９ｂ  第２の突起部
１０  ガイドレール受け部
１０ａ  ガイドレール支持部
１０ｂ、１９ｂ  接続部
１１  クランプ
１２  固定具
１２ａ  掴み部
１２ｂ  締付部
【要約】
【課題】吊り足場の端部において、落下防止用の側壁として使用される複数のパネルによるパネル構造体およびその組立方法に関して、安全性をより向上させること。
【解決手段】吊り足場の端部において、落下防止用の側壁として使用される複数のパネルによるパネル構造体は、水平方向に配列される複数のパネルと、吊り足場に解除可能に固定されるとともに、複数のパネルを支持するパネル支持機構と、を備え、パネル支持機構は、パネルの配列方向に沿って延在するガイドレールと、吊り足場の単管にガイドレールを解除可能に固定するクランプとを有し、それぞれのパネルは、ガイドレールに解除可能に係合しガイドレールに沿ってスライド移動可能なスライダ部を有する。
【選択図】図７【図１】
0005882518.tif 000002
【図２】
0005882518.tif 000003
【図３】
0005882518.tif 000004
【図４】
0005882518.tif 000005
【図５】
0005882518.tif 000006
【図６】
0005882518.tif 000007
【図７】
0005882518.tif 000008
【図８】
0005882518.tif 000009
【図９】
0005882518.tif 000010
【図１０】
0005882518.tif 000011